(57)【特許請求の範囲】
【請求項１】
前後方向に延びる内側空間を有するとともに当該内側空間に連なるスリットが前後方向に設けられたケースと、このケース内に収容されるとともに、当該ケースの前端から出没可能に設けられたカッター刃と、このカッター刃を保持して前記ケース内で前後方向に移動可能に設けられたスライダと、このスライダに装着されるとともに前記ケース側に係脱可能に設けられてスライダのロック及びその解除を許容する板ばねとを備え、前記スライダは、前記ケース内に位置するスライダ本体と、このスライダ本体に対して前後方向に相対移動可能に組み合わされるとともに、前記スリットを通じて前記ケースの外側に位置する操作部材とを含むカッターナイフにおいて、
前記スライダを受容するとともに、前記ケースの前後方向に沿って凸部が所定間隔ごとに形成された側壁面を有するガイド部材が設けられ、
前記板ばねは、前記スライダ本体と操作部材との間で前後方向に延びるように配置されるとともに、前後方向に延びる前後一対の平面部と、前部側平面部の前端及び後部側平面部の後端に連なる屈曲部と、前記平面部間に位置するとともに、これら平面部の平面位置よりも低い中央平面部と、当該中央平面部の幅方向外側に拡大するように突出して前記凸部間の切欠部内に位置可能な係り部とにより構成され
前記係り部が凸部間に位置することで前記スライダのロックを行う一方、
前記操作部材に前後方向の操作力を付与したときに、前記板ばねが前後方向の寸法を変化して前記係り部が凸部間の切欠部に対して上方に変位することで前記ロックが解除されることを特徴とするカッターナイフ。
【請求項２】
前記操作部材に操作力を付与したときに、前記平面部が湾曲することにより、前記翼部と凸部との係り合いが解除されることを特徴とする請求項１記載のカッターナイフ。
【請求項３】
前記ガイド部材を構成する一対の側壁面の各上縁に前記凸部がそれぞれ形成され、前記翼部は幅方向に一対配置とされて前記一対の側壁面の各上縁の凸部にそれぞれ係り合うように設けられていることを特徴とする請求項１又は２記載のカッターナイフ。
【請求項４】
前記操作部材は、前記板ばねの前部側に連なる屈曲部を押圧する前部リブと、前記板ばねの後部側に連なる屈曲部を押圧する後部押圧用リブを含み、前部リブと後部押圧用リブが選択的に屈曲部を押圧することで、前記平面部を湾曲させて前記翼部と凸部との係り合いを解除することを特徴とする請求項２又は３記載のカッターナイフ。
【発明の詳細な説明】
【技術分野】
【０００１】
本発明はカッターナイフに係り、更に詳しくは、カッター刃を出没操作するスライダのロック及びその解除を容易且つ確実に行うことのできるカッターナイフに関する。
【背景技術】
【０００２】
公知のカッターナイフは、例えば、特許文献１に開示されるように、前後方向に延びる略Ｃ字状のケースと、このケース内で前後方向移動可能に設けられたスライダと、当該スライダに保持されるカッター刃とを備えて構成されている。スライダとケースとの間にはロック機構が介装されており、このロック機構により、カッター刃をケースの前端から段階的に突出できる一方、カッター刃を一定の停止位置に保つことが可能となっている。
【０００３】
このタイプのカッターナイフは、前記スライダがケースの側面側に位置しており、右手利きの人が利用する場合には、右手親指にて容易に操作することができるが、左手利きの人にとっては使い勝手が非常に悪いものとなる。
【０００４】
そこで、本出願人は、例えば、特許文献２に開示されているように、ケースの上端部に操作部材を配置して利き手に影響を与えない、いわゆるユニバーサルタイプのカッターナイフを提案した。このカッターナイフは、ケース内に位置するスライダ本体及び当該スライダ本体に前後方向移動可能に組み合わされる操作部材を含むスライダと、スライダ本体とケースとの間に設けられた板ばねをケース側に係脱可能に設けることで、スライダのロック及びロック解除を行うロック機構とを備えた構成となっている。
【先行技術文献】
【特許文献】
【０００５】
【特許文献１】実開昭５７−１２８９６８号公報
【特許文献２】特開２００８−２２９０７６号公報
【発明の概要】
【発明が解決しようとする課題】
【０００６】
特許文献２に記載されたカッターナイフは、板ばねに設けられた屈曲部をケース内に位置するガイド部材の切欠部に係脱させてロック及びその解除を行うものであり、ロック状態を強く保つという設計思想には立っていない。
この点、特許文献１に記載されたカッターナイフは、スライダの薄片部に設けられた突部をガイド部材の切欠部内に位置させることでスライダのロックを可能とし、薄片部を押圧することで、突部を切欠部から脱出させてロック解除を行う構成であり、特許文献１の構成に比べてロック状態を強く確保することができる。
しかしながら、特許文献１記載のカッターナイフは、スライダを操作する方向と、ロックを解除する方向とが同一でなく、操作に際し、押圧しながらスライダを前後に移動させる操作力を必要とするものであり、操作性において難点がある。
【０００７】
［発明の目的］
本発明は、このような不都合に着目して案出されたものであり、その目的は、カッター刃を出没させる方向に操作力を付与するだけでロック及びその解除を行えるとともに、ロック状態を強く確保することのできるカッターナイフを提供することにある。
【課題を解決するための手段】
【０００８】
前記目的を達成するため、本発明は、特許請求の範囲記載の構成を採用した。すなわち、前後方向に延びる内側空間を有するとともに当該内側空間に連なるスリットが前後方向に設けられたケースと、このケース内に収容されるとともに、当該ケースの前端から出没可能に設けられたカッター刃と、このカッター刃を保持して前記ケース内で前後方向に移動可能に設けられたスライダと、このスライダに装着されるとともに前記ケース側に係脱可能に設けられてスライダのロック及びその解除を許容する板ばねとを備え、前記スライダは、前記ケース内に位置するスライダ本体と、このスライダ本体に対して前後方向に相対移動可能に組み合わされるとともに、前記スリットを通じて前記ケースの外側に位置する操作部材とを含むカッターナイフにおいて、
前記スライダを受容するとともに、前記ケースの前後方向に沿って凸部が所定間隔ごとに形成された側壁面を有するガイド部材が設けられ、
前記板ばねは、前記スライダ本体と操作部材との間で前後方向に延びるように配置されるとともに、前後方向に延びる前後一対の平面部と、前部側平面部の前端及び後部側平面部の後端に連なる屈曲部と、前記平面部間に位置するとともに、これら平面部の平面位置よりも低い中央平面部と、当該中央平面部の幅方向外側に拡大するように突出して前記凸部間の切欠部内に位置可能な係り部とにより構成され
前記係り部が凸部間に位置することで前記スライダのロックを行う一方、
前記操作部材に前後方向の操作力を付与したときに、前記板ばねが前後方向の寸法を変化して前記係り部が凸部間の切欠部に対して上方に変位することで前記ロックが解除される、という構成を採っている。
【００１０】
また、前記操作部材に操作力を付与したときに、前後の屈曲部が角度変位して前記平面部が湾曲することにより、前記翼部と凸部との係り合いが解除されるように設けることができる。
【００１１】
更に、前記ガイド部材を構成する一対の側壁面の各上縁に前記凸部がそれぞれ形成され、前記翼部は幅方向に一対配置とされて前記一対の側壁面の各上縁の凸部にそれぞれ係り合うように設けられる、という構成を採っている。
ここで、前記操作部材は、前記板ばねの前部側に連なる屈曲部を押圧する前部リブと、前記板ばねの後部側に連なる屈曲部を押圧する後部押圧用リブを含み、前部リブと後部押圧用リブが選択的に屈曲部を押圧することで、前記平面部を湾曲させて前記翼部と凸部との係り合いを解除するように設けることができる。
【発明の効果】
【００１２】
本発明によれば、操作部材に前後方向の操作力を付与するだけで板ばねが前後方向の寸法を変化して係り部と凸部との係り合いが解除されるので、スライダの操作方向とロックを解除する方向とが共通することとなり、操作の簡便性を付与することができる。しかも、操作部材への操作力を付与しない状態では、係り部が凸部間に位置した状態に保たれることから、ロックされた状態を強く維持することができる。
また、板ばねが前後対称形状に設けられているため、操作部材を前又は後に操作したときの何れにおいても同様の変形をもたらすこととなり、ロック及びその解除動作を安定して行うことができる。
更に、係り部を構成する翼部が、板ばねの中央平面部を幅方向外側に拡大するように突出して形成されているため、当該翼部が凸部間に位置している状態で前後方向に移動することが確実に阻止され、ロック状態を強く確保することができる。この一方、操作部材を操作したときに、平面部の湾曲変形を通じて翼部位置が凸部間で上昇変位して係り合いを解除することができ、ロック解除もスムースに行うことができる。
また、翼部を幅方向一対配置としてこれら翼部がガイド部材の凸部にそれぞれ係脱する構成とすることで、ロック状態を一層強固に保つことが可能となる。
【図面の簡単な説明】
【００１３】
【図１】本実施形態に係るカッターナイフの概略斜視図。
【図２】前記カッターナイフの分解斜視図。
【図３】ケースにガイド部材を収容した状態を示す平面図。
【図４】（Ａ）は図３の縦断面図。（Ｂ）は図４（Ａ）のＡ−Ａ線に沿う拡大断面図。
【図５】（Ａ）はガイド部材の平面図、（Ｂ）はガイド部材の中央断面図。
【図６】スライダにカッター刃を保持させた状態を示す概略斜視図。
【図７】（Ａ）はスライダ本体の正面図、（Ｂ）は同平面図、（Ｃ）は同背面図。
【図８】（Ａ）は図７（Ａ）のＢ−Ｂ線断面図、（Ｂ）は同Ｃ−Ｃ線断面図、（Ｃ）は同Ｃ−Ｄ線断面図。
【図９】（Ａ）は図７（Ａ）のＥ−Ｅ線断面図、（Ｂ）は同Ｆ−Ｆ線断面図、（Ｃ）は同Ｇ−Ｇ線拡大断面図。
【図１０】（Ａ）は押さえ部材の正面図、（Ｂ）は同背面図、（Ｃ）は同平面図。
【図１１】（Ａ）は図１０（Ｂ）の左側面図、（Ｂ）は同Ｍ−Ｍ線断面図、（Ｃ）は同Ｎ−Ｎ線拡大断面図。
【図１２】（Ａ）は操作部材の正面図、（Ｂ）は（Ａ）の左側面図、（Ｃ）は操作部材の背面図、（Ｄ）は操作部材の平面図。
【図１３】（Ａ）は図１２（Ａ）のＨ−Ｈ線断面図、（Ｂ）は同Ｉ−Ｉ線断面図、（Ｃ）は同Ｊ−Ｊ線断面図、（Ｄ）は同Ｋ−Ｋ線断面図、（Ｅ）は同Ｌ−Ｌ線断面図。
【図１４】（Ａ）は板ばねの正面図、（Ｂ）は同平面図、（Ｃ）は同側面図。
【図１５】スライダ本体にカッター刃を装着する作用説明図。
【図１６】押さえ部材でカッター刃を押さえ付けた状態を示す作用説明図。
【図１７】スライダ本体に板ばね部材を装着した状態を示す作用説明図。
【図１８】ロック及びその解除を示す動作説明図。
【発明を実施するための形態】
【００１４】
以下、本発明の実施形態を、図面を参照しながら詳細に説明する。なお、本明細書において、「前」とは、カッター刃の先端が位置する側について用いられる一方、「後」とは、その反対側について用いられる。
【００１５】
図１及び図２において、カッターナイフ１０は、前後方向に延びる内側空間Ｓ（図４（Ｂ）参照）を有するケース１２と、このケース１２内に収容されたガイド部材１３と、当該ガイド部材１３に沿って前後方向に移動可能に設けられてケース１２の前端から出没可能となるカッター刃１４と、このカッター刃１４を保持するとともに当該カッター刃１４と共にガイド部材１３に沿って移動可能に設けられたスライダ１５と、当該スライダ１５とケース１２との間に設けられるとともに、前記ケース１２側に係脱可能に設けられてスライダ１５のロック及びその解除を行うためのロック機構を構成する板ばね１７とを備えて構成されている。
【００１６】
前記ケース１２は前後方向に延びて手の平に握ることのできる細長い形状とされている。このケース１２は、前後方向に延びる底壁２０と、当該底壁２０の短寸幅方向に連なる一対の側壁面２１と、これら側壁面２１の上部間に連なる頂壁２２とを含む。ケース１２の前端及び後端は開放形状とされ、前端にはキャップ２３が、後端には尾栓２５が着脱自在に取り付けられる。頂壁２２には、図３及び図４（Ｂ）に示されるように、一方の側壁面２１側に幾分シフトした位置に、前記内側空間Ｓに連なるスリット２７が後端から前端部手前位置まで形成されている。また、キャップ２３の前端面には、前記ガイド部材１３の先端部領域を突出させるための縦穴２８が形成されている。前記側壁面２１及びキャップ２３の側面間に跨る領域には、前後方向に延びる窓穴２９が形成されており、当該窓穴２９を通じて内部に位置するカッター刃１４の残存長さを視認できるようになっている。本実施形態におけるケース１２は、適宜な樹脂材料を用いて一体成形されているが、厚み方向（前記側壁面２１の面に直交する方向）の中間位置を合わせ面とする二分割型として成形したり、キャップ２３をケース１２と一体的に形成することもできる。
【００１７】
図４に示されるように、前記底壁２０の後端部上面側は一段低い後部底壁２０Ａとされており、当該後部底壁２０Ａの領域内における前記側壁面２１の相対面には、前後方向に延びる溝部３０が形成され、当該溝部３０に前記尾栓２５に形成された突部３１が嵌合可能となっている。尾栓２５は、後端が湾曲した閉塞面となっており、上端面は、前記頂壁２２に形成されたスリット２７に連なるスリット３２が形成されている。
【００１８】
前記カッター刃１４は、先端及び後端が刃縁の延出方向に対して傾斜して平面視略平行四辺形の板状をなし、後部に穴１４Ａを備えた公知のカッター刃と同一の構造のものが用いられている。
【００１９】
前記ガイド部材１３は、図５に示されるように、前記ケース１２の底壁２０及び側壁面２１に略平行に相対するベース面３４、及び、当該ベース面３４の短寸幅方向両側に連なって略鉛直上方に向けられるとともに、前記カッター刃１４と略平行な面を形成する一対の側壁面３５とを含む。側壁面３５の前端側は、相互離間幅が次第に狭くなる傾斜面部３５Ａと、当該傾斜面部３５Ａの前端に連なってカッター刃１４の通過を鉛直面内で略直線上に案内する隙間に設定された平行面部３５Ｂとされ、当該平行面部３５Ｂが前記ケース１２の前壁２３に形成された縦穴２８を貫通して前方に突出するようになっている。
【００２０】
前記一対の側壁面３５のそれぞれの上端部には、前後方向に沿って定ピッチで配置された切欠部３７がそれぞれ形成されてこれら切欠部３７間に凸部３６が形成され、更に前方位置には、後方上向きに突出する舌片部３８が連設されている。この舌片部３８は、ガイド部材１３をケース１２内の後端から挿入した際の挿入限を決定するようになっている。なお、側壁面３５の前部領域には、前後方向に延びて前記ケース１２の窓穴２９にオーバーラップする内側窓穴３９が形成されている。なお、凸部３６の上部前後コーナーは斜めに面取りされている。
【００２１】
前記スライダ１５は、前記カッター刃１４を着脱可能に保持するように構成されている。このスライダ１５は、図２に示されるように、カッター刃１４の後部に形成された穴１４Ａ内に収まる突部４１を備えたスライダ本体４２と、当該スライダ本体４２と相互に作用してカッター刃１４の後端部を挟み込むように設けられた押さえ部材４３と、前記スライダ本体４２に対して前後方向に相対移動可能に組み合わされる操作部材４４とを含む。
【００２２】
前記スライダ本体４２は、カッター刃１４の面と略平行に位置して前後方向に延びる平面視略板状をなす外形に設けられている。このスライダ本体４２は、図６ないし図９に示されるように、カッター刃１４の後端部における一方の面に沿って位置するとともに前記突部４１が一体に設けられた保持面部４６と、この保持面部４６の後部に連なって操作部材４４の取り付けと、押さえ部材４３の後半部を位置させる取付部４７とからなる。保持面部４６には、その内面側に傾斜隆起部４６Ａが形成されている一方、上部には上部水平部４６Ｂが形成されている。傾斜隆起部４６Ａはカッター刃１４の後端縁形状に対応して当該カッター刃１４の後端位置を規制する一方、上部水平部４６Ｂは、カッター刃１４の後端上縁に係り合って当該カッター刃１４を仮保持したときの回転規制部として作用するようになっている。ここで、傾斜隆起部４６Ａより後方位置には前記押さえ部材４３を揺動自在に支持する軸受部４８が形成されている。
【００２３】
前記取付部４７は、保持面部４６の後部に連なる上面部４９及び下面部５０と、これら上面部４９及び下面部５０間の正面部５１とを含む。上面部４９には、その前後２箇所に、凹部４９Ａが形成されている。正面部５１の面内において、上部後方側にばね装着部５２が設けられているとともに、それより下方の前後方向二箇所に前後方向に向けられたスロット穴５５が設けられている。ばね装着部５２は、前記傾斜隆起部４６Ａの上端に水平隆起部５７を介してＬ字上に連なる前部隆起部５８と、正面部５１の後端部において前部隆起部５８に略対称の後部隆起部５９と、これら前後のＬ字状の隆起部５８、５９間に位置するとともに、当該隆起部５８、５９との間に隙間Ｃ１を前後にそれぞれ形成する水平隆起部６０とを含む。ここで、水平隆起部６０の中央部より上方の正面部５１には角穴５１Ａが形成されている一方、水平隆起部６０より下方の正面部５１には、コ字状の切り欠きを形成することで面位置が変位可能に設けられた板部材６２が形成されている。
【００２４】
前記押さえ部材４３は、図１０及び図１１に示されるように、前記保持面部４６及び取付部４７に跨って位置する本体面６３と、この本体面６３の図１０（Ａ）中右側に連なる押圧操作面６４とを含む。本体面６３の図１０（Ａ）中左端側は、スライダ本体４２の突部４１を受け入れる切欠部６３Ｂが形成された押さえ面６３Ａとされ、押圧操作面６４の中央部には、スライダ本体４２に設けられた軸受部４８に嵌合する略半円状のリング部６５が設けられ、そのリング部６５の左右方向両側には、凸部６６が設けられている。また、前記押圧操作面６４の図１０（Ｃ）中右端側には、前記スライダ本体４２の板部材６２に当接する突起６４Ａが形成されている。なお、押さえ面６３Ａの上下二箇所には前後方向に延びる隆起部６３Ｃが形成されている。
前記押さえ部材４３は、前記スライダ本体４２に組み合わされた状態で、押圧操作面６４の外面側を指先で押圧することにより、前記リング部６５の軸線を回転中心として揺動可能となっている。従って、本体面６３の前端側すなわち切欠部６３Ａが形成されている押さえ面６３Ａ側がスライダ本体４２の保持面部４６に対して離間接近する方向に変位することで、カッター刃１４の着脱が可能となる。
【００２５】
前記操作部材４４は、図２、図１２及び図１３に示されるように、前記ケース１２の頂壁２２に沿って前後方向に延びるとともに下面側の前後二箇所に前後方向に延びる突条７２Ａが設けられた操作用平面７２と、この操作用平面７２の短寸幅方向一端側の上面に連設されるとともに、ケース１２のスリット２７を貫通する状態に位置する連結片７３と、当該連結片７３を介して略片持ち姿勢で連設された指当て部７４と、前記操作用平面７２の短寸幅方向他端側に連設されて前記スライダ本体４２の取付部４７に相対する垂下部７６と、この垂下部７６の面内における前後二箇所に設けられるとともに、前記スライダ本体４２のスロット穴５５内に脱落不能に挿入される爪片状の挿入片部７７とを含む。垂下部７６の後端は、図１２（Ａ）に示されるように、操作用平面７２の後端よりも後方に位置する長さを有するとともに、上下幅が大きくなる寸法に設けられ、その後端に後端壁部７８（図１２（Ｃ）参照）と、当該後端壁部７８の前面側に連なる後部押圧用リブ７９が設けられている。また、前記操作用平面７２の下面側に設けられた突条７２Ａと、前記挿入片部７７の前後方向長さは、スライダ本体４２に設けられた凹部４９Ａ及びスロット穴５５の前後方向長さよりも小さくなるような差が設けられており、これにより、操作部材４４がスライダ本体４２に対して脱落不能且つ前後方向に沿って相対移動可能に組み合わせ可能となっている。ここで、前記長さの差は、操作部材４４をスライダ本体４２に対して相対移動させたときに、前記板ばね１７がロック解除に必要な変形量を生ずる差に設定されている。
【００２６】
前記垂下部７６において、前記挿入片部７７と略同一の線上には、図１２（Ｃ）及び図１３（Ｂ）に示されるように、前後方向に延びる前部リブ８０と中央リブ８１とが設けられ、前部リブ８０は、前記後部押圧用リブ７９と共に板ばね１７を変形させるための押圧を行うようになっている。
また、前方に位置する挿入片部７７の上方には、前後方向に延びる方形の穴８３が形成されているとともに、この穴８３の前後両側には、前後方向に向けられたブロック片８４が形成されている。なお、図１２Ａ中符合８８、８９は、挿入片部７７及び突条７２Ａの成形の便宜のために設けられた穴を示し、また、前後の穴８８のうち、前方の穴８８が形成された部分は、垂下部７６の板厚が部分的に厚く設けられた隆起面９０とされている。
【００２７】
前記板ばね１７は、図２及び図１４に示されるように、前後方向に延びる前後一対の平面部９２，９３と、前部側平面部９２の前端及び後部側平面部９３の後端に連なる屈曲部９５，９６と、前記平面部９２、９３間に位置するとともに、これら平面部９２，９３の平面位置よりも低い中央平面部９７と、当該中央平面部９７の幅方向外側に拡大するように突出して係り部を形成する一対の翼部９８とにより構成されている。平面部９２，９３は、無負荷状態で常時は同一平面上に位置する形状をなし、屈曲部９５，９６は、平面部９２，９３の面に対して略直角向きとなっている。
【００２８】
なお、本実施形態におけるカッターナイフ１０は、前記スライダ１５を除く他の構成部品が、既提案の特開２００８−２２９０７６号公報（特許文献１）に開示されたカッターナイフと実質的に同様の構成となっている。
【００２９】
次に本実施形態におけるカッターナイフ１０の組み立て方法と使用方法について図１５ないし図１８をも参照して説明する。
【００３０】
最初に、ガイド部材１３をケース１２の後部から挿入して内側空間Ｓ内に嵌合して固定しておく。この一方、スライダ１５は、スライダ本体４２に押さえ部材４３、板ばね１７及び操作部材４４を順次組み合わせる。この組み合わせは、先ず、スライダ本体４２に押さえ部材４３を相対させた状態で重ね合わせるとともに（図１５、図１６参照）、押さえ部材４３のリング部６５をスライダ本体４２側の軸受部４８に強制的に嵌め込む。これにより、押さえ部材４３は、押圧操作面６４を押圧することにより、突起６４Ａが板部材６２を板厚方向に変位させて押さえ面６３Ａ側が保持面部４６に対して離間する方向に移動可能となる一方、押圧操作面６４の押圧を解除することで板部材６２の弾性復元力で元の位置に戻り、押さえ面６３Ａと保持面部４６との間にカッター刃１４の後端部を挟み込むことが可能となる。
【００３１】
次いで、スライダ本体４２におけるばね装着部５２に板ばね１７を装着する。この装着は、スライダ本体４２の水平隆起部６０上に板ばね１７の前部側平面部９２及び後部側平面部９３を位置させるとともに、屈曲部９５，９６が前後の各隙間Ｃ１を通って下方に延びるようにして行う。
【００３２】
板ばね１７の装着を完了した状態で、スライダ本体４２に操作部材４４を組み合わせる。この組み合わせは、操作部材４４の垂下部７６に設けられた挿入片部７７をスライダ本体４２のスロット穴５５にそれぞれ挿入することによって行うことができる。この挿入が行われると、操作部材４４の操作用平面７２の下面に設けられた突条７２Ａが対応する凹部４９Ａ内に位置し、また、垂下部７６の面内に設けられた穴８３内に一方の翼部９８が位置するようになる。この時、板ばね１７は、図１８（Ａ）に示されるように、初期形状を維持した状態で、スライダ本体４２と操作部材４４との間に位置することとなる。
【００３３】
スライダ１５にカッター刃１４を保持させた状態のユニットは、カッター刃１４の先端側を差し込み方向先端側として、前記ケース１２内に挿入される。この際、操作部材４４を片持ち姿勢で支持する連結片７３は、ケース本体１２のスリット２７を上下に貫通する状態で位置し、頂壁２２上に指当て部７４が位置することとなる。そして、ケース１２の後端部に尾栓２５を差し込んで嵌合させ、これにより、カッターナイフ１０の組み立てを完了することができる。
【００３４】
カッター刃１４をケース１２の前端から突出させる場合には、図１８（Ａ）に示される初期位置において、前記指当て部７４に指先を当てがい、操作部材４４に前方（同図中左方）に向かって操作力を付与すればよい。これにより、同図（Ｂ）に示されるように、操作部材４４がスライダ本体４２に装着された板ばね１７に対して前方に相対移動し、操作部材４４の後端部に設けられた後部押圧用リブ７９が後方の屈曲部９６を押圧する。このとき、前方の屈曲部９５は前部リブ８０に当接しているため、板ばね１７は、前後両側から力が付与されて前部側平面部９２及び後部側平面部９３が湾曲しながら上方に変位し、このとき、翼部９８がガイド部材１３の切欠部３７内に位置する状態から上方に変位し、凸部３６の側端縁に係り合っている状態を解除する。従って、操作部材４４に付与された操作方向に従ってスライダ１５が前方に移動してカッター刃１４を所定長さ表出させることととなり、操作力を解除したときに、板ばね１７が初期形状に復帰して凸部３６間の切欠部３７内に翼部９８を位置させてロック位置に保つこととなる。
【００３５】
カッター刃１４をケース１２内に戻すときは、操作部材４４に対して後方に操作力を付与すればよい。これにより、前部リブ８０が前部側の屈曲部９５を押圧することで、前記同様の変位動作が行われてスライダ１５の後退移動を許容し、その操作力を解除したときに、再びロック状態を保つ。
【００３６】
従って、このような実施形態によれば、板ばね１７の翼部９８が凸部３６間の切欠部３７内に位置して凸部３６の側端に翼部が引っ掛かる状態に保たれるので、ロック状態を強固に保つことができる。しかも、そのロック状態を解除する場合には、操作部材４４を前後に移動させる力を付与するだけで足りるので、操作の簡便性をも付与することができる。
【００３７】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３８】
例えば、板ばね１７は図示構成例に限らず、ガイド部材１３の凸部に対して、実質的に同様の係り合いが可能となる限りにおいて、種々の形状を採用することができる。また、翼部９９は少なくとも一方にあれば足りる。
【符号の説明】
【００３９】
１０  カッターナイフ
１２  ケース
１３  ガイド部材
１４  カッター刃
１５  スライダ
１７  板ばね
３６  凸部
４２  スライダ本体
４４  操作部材
９２，９３  平面部
９５，９６  屈曲部
９７  中央平面部
９８  翼部（係り部）
Ｓ  内側空間
【図１】
0005636564.tif 000002
【図２】
0005636564.tif 000003
【図３】
0005636564.tif 000004
【図４】
0005636564.tif 000005
【図５】
0005636564.tif 000006
【図６】
0005636564.tif 000007
【図７】
0005636564.tif 000008
【図８】
0005636564.tif 000009
【図９】
0005636564.tif 000010
【図１０】
0005636564.tif 000011
【図１１】
0005636564.tif 000012
【図１２】
0005636564.tif 000013
【図１３】
0005636564.tif 000014
【図１４】
0005636564.tif 000015
【図１５】
0005636564.tif 000016
【図１６】
0005636564.tif 000017
【図１７】
0005636564.tif 000018
【図１８】
0005636564.tif 000019